(57)【要約】【課題】ピーク電力を小さくすることができる運転スケジュールを作成可能なエネルギー供給プラントの運転制御技術を提供する。【解決手段】水冷冷凍機１１、空冷ＨＰ１２等の熱源機器及び蓄熱槽１３、蓄電池１４等のエネルギー蓄積機器を含む制御対象機器を有し、受電電力及び制御対象機器からのエネルギーを、エネルギー消費機器に供給するエネルギー供給プラントにおける供給エネルギーの需要量の予測値を作成する需要予測部３９、予測値、熱源機器の許容出力及びエネルギー蓄積機器の容量に基づいて、受電電力のピークが小さくなるように、制御対象機器の運転スケジュールを作成するスケジュール作成部４０、運転スケジュールに従って、制御対象機器を作動させる制御設定値を作成する制御設定値作成部４１を有する。【選択図】図１
2014152984.tif 000002
【特許請求の範囲】
【請求項１】
受電電力と熱源機器及びエネルギー蓄積機器を含む制御対象機器とからのエネルギーを、エネルギー消費機器に供給するエネルギー供給プラントにおける供給エネルギーの需要量の予測値を作成する需要予測部と、
前記需要予測部によって作成された予測値、前記熱源機器の許容出力及び前記エネルギー蓄積機器の容量に基づいて、受電電力のピークが小さくなるように、前記制御対象機器の運転スケジュールを作成するスケジュール作成部と、
前記運転スケジュールに従って、前記制御対象機器を作動させる制御設定値を作成する制御設定値作成部と、
を有することを特徴とするエネルギー供給プラントの運転制御装置。
【請求項２】
前記スケジュール作成部は、前記エネルギー蓄積機器の容量に相当する削減量に達するまで、前記需要予測部によって作成された予測値において最大となるピーク時間帯の需要が、他の時間帯の需要の最大値と一致するようにカットするピークカット処理部を有することを特徴とする請求項１記載のエネルギー供給プラントの運転制御装置。
【請求項３】
前記エネルギー蓄積機器は、蓄熱槽及び蓄電池を含み、
前記スケジュール作成部は、前記ピークカット処理部によりカットされた需要量を確保するように、蓄熱槽の蓄熱スケジュールを作成する蓄熱スケジュール作成部及び蓄電池の蓄電スケジュールを作成する蓄電スケジュール作成部と、
を有し、
前記蓄熱スケジュール作成部は、前記蓄電スケジュール作成部に優先して、蓄熱スケジュールを作成することを特徴とする請求項１又は請求項２記載のエネルギー供給プラントの運転制御装置。
【請求項４】
前記スケジュール作成部は、
前記熱源機器のみにより、前記需要量の予測値を満たす前記熱源機器の運転停止のスケジュールを作成する運転停止スケジュール作成部と、
運転させる熱源機器として、熱の製造単価が安いものを優先させる優先順位決定部と、
を有することを特徴とする請求項１〜３のいずれか１項に記載のエネルギー供給プラントの運転制御装置。
【請求項５】
前記需要予測部よりも短い周期で、消費電力の予測値を求める消費電力短期予測部と、
前記消費電力の予測値に基づいて、前記運転スケジュールの修正の要否を判定するスケジュール修正判定部と、
前記スケジュール修正判定部により修正が必要と判定された場合に、前記運転スケジュールを修正するスケジュール修正部と、
を有することを特徴とする請求項１〜４のいずれか１項に記載のエネルギー供給プラントの運転制御装置。
【請求項６】
前記スケジュール修正判定部は、前記消費電力短期予測部により予測される消費電力の予測値が、消費電力量の計測周期内において、前記スケジュール作成部が作成した運転スケジュールの最大消費電力量を超えるか否かにより、前記運転スケジュールの修正の要否を判定し、
前記スケジュール修正部は、前記消費電力の予測値が、前記最大消費電力量を超えないように、前記運転スケジュールを修正することを特徴とする請求項５記載のエネルギー供給プラントの運転制御装置。
【請求項７】
コンピュータ又は電子回路が、
受電電力と熱源機器及びエネルギー蓄積機器を含む制御対象機器とからのエネルギーを、エネルギー消費機器に供給するエネルギー供給プラントにおける供給エネルギーの需要量の予測値を作成する需要予測処理と、
前記エネルギー需要予測部によって作成された予測値に基づいて、前記熱源機器の許容出力及び前記エネルギー蓄積機器の容量に応じて、受電電力のピークが小さくなるように、前記制御対象機器の運転スケジュールを作成するスケジュール作成処理と、
前記運転スケジュールに従って、前記制御対象機器を作動させる制御設定値を作成する制御設定値作成処理と、
を実行することを特徴とするエネルギー供給プラントの運転制御方法。
【請求項８】
コンピュータに、
受電電力と熱源機器及びエネルギー蓄積機器を含む制御対象機器とからのエネルギーを、エネルギー消費機器に供給するエネルギー供給プラントにおける供給エネルギーの需要量の予測値を作成する需要予測処理と、
前記エネルギー需要予測部によって作成された予測値に基づいて、前記熱源機器の許容出力及び前記エネルギー蓄積機器の容量に応じて、受電電力のピークが小さくなるように、前記制御対象機器の運転スケジュールを作成するスケジュール作成処理と、
前記運転スケジュールに従って、前記制御対象機器を作動させる制御設定値を作成する制御設定値作成処理と、
を実行させることを特徴とするエネルギー供給プラントの運転制御プログラム。
【発明の詳細な説明】
【技術分野】
【０００１】
本発明の実施形態は、例えば建物や工場等のエネルギー供給プラントにおいて、熱源機器、エネルギー蓄積機器等の制御対象機器の運転スケジュールを、最適化する技術に関する。
【背景技術】
【０００２】
日本を例にあげると、日本の国内におけるビル等の建物の民生業務部門の消費エネルギーは、エネルギーロスを除外して最終的に消費されるエネルギーである最終エネルギー消費全体の２０％程度である。このため、建物の管理者、利用者が、継続して省エネルギーを実行できれば、最終エネルギー消費の抑制に有効である。
【０００３】
特に、最近の電力需要のひっ迫を受けて、需要が最大、つまりピークとなる時間帯における消費エネルギーを削減するピークカットのニーズが高まっている。また、このようなピークカットを実現するために、蓄熱槽等を活用して、消費エネルギーがピークとなる時間をずらすピークシフトも行われている。
【０００４】
例えば、従来から、電気料金の安い時間帯に熱源機器を運転して蓄熱槽に蓄熱し、電気料金の高いピークの時間帯に蓄熱槽の蓄熱を放出して利用することにより、ピーク電力の削減を実現している。
【０００５】
より具体的なピークカットの例としては、特許文献１の図２、図４に示すような手法がある。図２は、熱源機器の負荷率が高くなるように、なるべく少ない台数で熱源機器を稼働させつつ、蓄熱を放出させて需要を満たすことにより、熱源機器の運転効率を高める手法である。
【０００６】
また、図４は、電気料金単価の高いピークの時間帯に熱源機器の稼働台数を下げつつ、蓄熱を放出させて需要を満たすことにより、熱源機器の運転コストを最小にする手法である。
【先行技術文献】
【特許文献】
【０００７】
【特許文献１】特開２００３−５００３７号公報
【発明の概要】
【発明が解決しようとする課題】
【０００８】
しかしながら、上記のような技術は、熱源機器の運転効率を高めたり、熱源機器の運転コストを最小化する手法であり、ピーク時間帯の消費電力を減らせることはできるものの、必ずしもピーク電力をできるだけ小さくするには至っていなかった。
【０００９】
つまり、特定の時間帯のみ消費電力を削減しても、削減されていない時間帯において別のピークが生じ、一日全体で見ると、ピーク電力ができるだけ小さくなるようにはなっていなかったことになる。このため、ピーク時間帯及びその周辺の時間帯における需要の集中は、十分に解消されていなかった。
【００１０】
本発明の実施形態は、上記のような従来技術の問題を解決するために提案されたものであり、その目的は、ピーク電力をできるだけ小さくする運転スケジュールを作成可能なエネルギー供給プラントの運転制御技術を提供することにある。
【課題を解決するための手段】
【００１１】
上記の目的を達成するため、本発明の実施形態であるエネルギー供給プラントの運転制御装置は、以下の発明特定事項を有する。
(1) 受電電力と熱源機器及びエネルギー蓄積機器を含む制御対象機器とからのエネルギーを、エネルギー消費機器に供給するエネルギー供給プラントにおける供給エネルギーの需要量の予測値を作成する需要予測部
(2) 前記需要予測部によって作成された予測値、前記熱源機器の許容出力及び前記エネルギー蓄積機器の容量に基づいて、受電電力のピークが小さくなるように、前記制御対象機器の運転スケジュールを作成するスケジュール作成部
(3) 前記運転スケジュールに従って、前記制御対象機器を作動させる制御設定値を作成する制御設定値作成部
【００１２】
なお、他の形態は、上記の各部の機能をコンピュータ又は電子回路により実現するための方法及びコンピュータに実行させるプログラムとして捉えることもできる。
【図面の簡単な説明】
【００１３】
【図１】実施形態のエネルギー供給プラントの運転制御装置の一例を示すブロック図
【図２】冷水の供給及び蓄熱パターンの一例を示す図
【図３】スケジュール作成部の構成を示すブロック図
【図４】スケジュール作成部の構成の詳細を示すブロック図
【図５】冷水製造単価表の一例を示すブロック図
【図６】冷水増分単価表の一例を示すブロック図
【図７】最適運転制御装置の処理の手順を示すフローチャート
【図８】需要予測部の需要予測処理の手順を示すフローチャート
【図９】消費電力量実績値から予測される消費電力予測値及び最大消費電力の関係を示す図
【図１０】運転停止スケジュール作成処理の手順を示すフローチャート
【図１１】蓄熱スケジュール及び蓄電スケジュール作成処置の手順を示すフローチャート
【図１２】運転停止スケジュールと冷水需要の一例を示す図
【図１３】出力帯別の運転停止スケジュールと冷水需要の一例を示す図
【図１４】電力需要及び熱源機器の動力の一例を示す図
【図１５】熱源機器の冷水出力のピークカットの一例を示す図
【図１６】熱源機器の冷水出力のピークカットの一例を示す図
【図１７】熱源機器の冷水出力のピークカットの一例を示す図
【図１８】熱源機器の冷水出力のピークカットの一例を示す図
【図１９】冷水出力を熱源機器に戻す一例を示す図
【図２０】ピークカットの結果得られた電力需要の一例を示す図
【図２１】水冷冷凍機によるピークシフトの一例を示す図
【図２２】水冷冷凍機によるピークシフトの一例を示す図
【図２３】蓄電池によるピークシフトの一例を示す図
【図２４】蓄電池によるピークシフトの一例を示す図
【図２５】熱源機器の運転モードを示す図
【図２６】運転スケジュールの一例を示す図
【図２７】運転スケジュールの修正処理を示すフローチャート
【図２８】消費電力予測値と最大消費電力量との関係を示す図
【図２９】他の実施形態を示すブロック図
【発明を実施するための形態】
【００１４】
以下、エネルギー供給プラントの運転制御装置の実施形態について説明する。
［Ａ．構成］
まず、本実施形態が適用されるシステムの構成を、図１を参照して説明する。本システムは、エネルギー供給プラント１を制御するシステムであって、監視制御装置２、運転制御装置３を有する。
【００１５】
また、運転制御装置３は、インターネット等のネットワーク５を介して、気象情報記憶装置４に接続されている。気象情報記憶装置４は、気象情報を記憶した処理部である。例えば、気象情報を提供しているシステムのサーバにより、気象情報記憶装置４を構成できる。
【００１６】
［１．エネルギー供給プラント］
エネルギー供給プラント１は、冷却塔１０、水冷冷凍機１１、空冷ＨＰ（ヒートポンプ）１２、蓄熱槽１３、蓄電池１４、ポンプ１５〜１８、バルブ１９〜２１、空調機２３、照明２４を有する。
【００１７】
冷却塔１０は、水冷冷凍機１１へ供給する水及び水冷冷凍機１１から排出された水を冷却する装置である。水冷冷凍機１１は、冷却塔１０からの水を熱源として、冷媒の相変化により冷水を供給する機器である。冷却塔１０及び水冷冷凍機１１は熱源機器であり、その運転時には電力を消費する。そして、水冷冷凍機１１は、複数のレベルの出力帯による運転が可能である。
【００１８】
空冷ＨＰ１２は、空気を熱源として冷媒の相変化により冷水又は温水を供給する機器である。空冷ＨＰ１２は熱源機器であり、その運転時には電力を消費する。そして、空冷ＨＰ１２は、複数のレベルの出力帯による運転が可能である。
【００１９】
なお、熱源機器の運転には、後述するポンプ１５〜１８、バルブ１９〜２１の作動が必要となり、これらの作動時にも電力を消費する。熱源機器の運転には、ポンプ１５〜１８、バルブ１９〜２１の作動も含む。
【００２０】
蓄熱槽１３は、貯留した熱媒により蓄熱を行う槽である。蓄電池１４は、商用電源から受電（図中、「受電」で示す）した電力を充電し、充電した電力を放電可能な二次電池を利用した設備である。蓄熱槽１３及び蓄電池１４は、エネルギー蓄積機器である。
【００２１】
ポンプ１５は、水冷冷凍機１１と空調機２３との間の系統に設けられ、水冷冷凍機１１と空調機２３との間で冷水を循環させる機器である。ポンプ１６は、冷却塔１０と水冷冷凍機１１との間の系統に設けられ、冷却塔１０と水冷冷凍機１１との間で冷水を循環させる機器である。
【００２２】
ポンプ１７は、空冷ＨＰ１２と空調機２３との間の系統に設けられ、空冷ＨＰ１２と空調機２３との間で、冷水又は温水を循環させる機器である。ポンプ１８は、蓄熱槽１３と空調機２３との間の系統に設けられ、蓄熱槽１３と空調機２３との間で、冷水又は温水を循環させる機器である。
【００２３】
水冷冷凍機１１、空冷ＨＰ１２及び蓄熱槽１３と空調機２３との間の系統の一部は、共通の配管で構成されている。共通化された系統及びこれに接続された蓄熱槽１３の系統には、送水系統を切り替えるバルブ１９〜２１が設けられている。
【００２４】
空調機２３や照明２４は、建物２２に設置されたエネルギー消費機器である。空調機２３は、上記のように、水冷冷凍機１１、空冷ＨＰ１２、蓄熱槽１３からの冷水、受電した電力の供給を受けて、冷房を行う装置である。なお、空調機２３は、空冷ＨＰ１２からの温水、受電した電力の供給を受けて、暖房を行うこともできる装置である。
【００２５】
空調機２３への冷水供給は、バルブ１９〜２１を切り替え、水冷冷凍機１１、冷却塔１０およびポンプ１５〜１８を適切に運転することにより、水冷冷凍機１１及び蓄熱槽１３のいずれか一方又は双方から可能である。
【００２６】
図２は、バルブ１９〜２１の開閉及びポンプ１５〜１８の作動により、水冷冷凍機１１及び蓄熱槽１３から空調機２３へ冷水を供給するパターンの一例を示す。図２において、「空調通常」は、蓄熱槽１３への蓄熱は行わず、水冷冷凍機１１からの冷水供給によって、空調機２３を作動させる運転モードである。
【００２７】
「蓄熱通常」は、空調機２３への冷水供給は行わず、水冷冷凍機１１からの冷水供給によって、蓄熱槽１３へ蓄熱する運転モードである。「放熱通常」は、水冷冷凍機１１からの冷水供給は行わず、蓄熱槽１３からの冷水供給によって、空調機２３を作動させる運転モードである。
【００２８】
「空調蓄熱」は、水冷冷凍機１１からの冷水供給により、空調機２３を作動させるとともに、蓄熱槽１３への蓄熱を行う運転モードである。「空調放熱」は、蓄熱槽１２への蓄熱は行わず、水冷冷凍機１１と蓄熱槽１３からの冷水供給によって、空調機２３を作動させるモードである。
【００２９】
冷却塔１０、水冷冷凍機１１、空冷ＨＰ１２、蓄熱槽１３、ポンプ１５〜１８、バルブ１９〜２１は、運転制御装置３及び監視制御装置２により制御される制御対象機器に含まれる。
【００３０】
なお、ここで示した制御対象機器、エネルギー消費機器は一例であり、いずれの制御対象機器、エネルギー消費機器を使用するか若しくは使用しないかは自由である。また、本実施形態は、例示されていない制御対象機器を排除するものではない。
【００３１】
［２．監視制御装置］
監視制御装置２は、上記のエネルギー供給プラント１が、正常に動作しているかどうかを監視する装置である。
【００３２】
また、監視制御装置２は、後述する運転制御装置３からの運転スケジュールに基づく制御設定値に従って、制御対象機器を制御する。例えば、監視制御装置２は、制御対象機器を、上記のいずれかの運転モードで動作させる。また、監視制御装置２は、蓄電池１４の充放電制御を行う。
【００３３】
なお、運転スケジュールは、一日の各時間帯における制御対象機器の運転状態を決定する情報である。この運転スケジュールは、運転停止スケジュール、蓄熱スケジュール、蓄電スケジュールを含む。
【００３４】
運転停止スケジュールは、熱源機器の運転停止時間及び出力を決定する情報である。蓄熱スケジュールは、蓄熱槽１３の蓄熱時間及び蓄熱量を決定する情報である。蓄電スケジュールは、蓄電池１４の蓄電時間及び蓄電量を決定する情報である。
【００３５】
制御設定値は、運転スケジュールに基づいて、制御対象機器を作動させる設定値である。この制御設定値は、各制御対象機器の起動、作動状態、停止を決定するパラメータである。
【００３６】
［３．運転制御装置］
運転制御装置３は、制御対象機器の運転スケジュールに基づく制御設定値を、監視制御装置２に出力することにより、エネルギー供給プラント１の運転を制御する装置である。
【００３７】
運転スケジュールの作成には、エネルギー供給プラント１の運用データや、気象データを用いる。気象データは、上記の気象情報記憶装置４から、ネットワーク５を介して取得することができる。
【００３８】
このような運転制御装置３は、送受信部３１、プロセスデータ取得部３２、プロセスデータ記憶部３３、モデルデータ入力部３４、モデルデータ記憶部３５、演算処理部３６、演算結果記憶部３７、制御設定値出力部４５を有する。
【００３９】
［３−１．送受信部］
送受信部３１は、監視制御装置２との間の情報の送受信を行う処理部である。また、送受信部３１は、ネットワーク５を介して、外部との情報の送受信を行うこともできる。
【００４０】
［３−２．プロセスデータ取得部］
プロセスデータ取得部３２は、送受信部３１を介して、プロセスデータを取得する処理部である。プロセスデータは、プラントデータ、気象データを含む。プラントデータは、エネルギー供給プラント１から取得される制御対象機器、エネルギー消費機器等の運用実績を示すデータである。例えば、過去の１日毎の冷水及び電力の需要実績データは、プラントデータに含まれる。
【００４１】
気象データは、気象情報記憶装置４から取得される過去の気象に関する実績データ、将来の気象に関する予報データを含む。例えば、過去の１日毎の最高気温、最低気温、天気等は、気象データに含まれる。
【００４２】
また、将来の１日毎の予想最高気温、予想最低気温、予想天気等も、気象データに含まれる。プラントデータ、気象データは、それぞれ日付、曜日に関するデータと関連付けて記憶されている。
【００４３】
［３−３．プロセスデータ記憶部］
プロセスデータ記憶部３３は、プロセスデータ取得部３２が取得したプロセスデータを記憶する処理部である。
【００４４】
［３−４．モデルデータ入力部］
モデルデータ入力部３４は、エネルギー供給プラント１のモデルデータを入力する処理部である。モデルデータは、エネルギー供給プラント１の構成を示す情報である。
【００４５】
例えば、エネルギー供給プラント１のプラントモデルやモデルパラメータを含むデータである。プラントモデルは、エネルギー供給プラント１の構成機器及び接続関係を示すデータである。
【００４６】
モデルパラメータは、エネルギー供給プラント１の構成機器の特性を示すパラメータである。例えば、モデルパラメータは、制御対象機器の定格、出力帯、容量等、それぞれの機器に応じて定まる各種のパラメータを含む。
【００４７】
［３−５．モデルデータ記憶部］
モデルデータ記憶部３５は、モデルデータ入力部３４が入力したモデルデータを記憶する処理部である。
【００４８】
［３−６．演算処理部］
演算処理部３６は、プロセスデータ及びモデルデータに基づいて、エネルギー供給プラント１の運転スケジュール及び制御設定値を求める処理部である。
【００４９】
この演算処理部３６は、開始指示部３８、需要予測部３９、スケジュール作成部４０、制御設定値作成部４１、消費電力短期予測部４２、スケジュール修正判定部４３、スケジュール修正部４４を有する。
【００５０】
［３−６−１．開始指示部］
開始指示部３８は、あらかじめ設定されたタイミングで、演算処理部３６による需要予測、スケジュール作成、制御設定値作成等の実行を開始させる処理部である。例えば、実行日の前日にスケジュールを作成する場合、１日のうちの所定時間を設定タイミングとすることが考えられる。これを毎日にするか、何日おきにするか、何時にするかは、自由に設定可能である。
【００５１】
［３−６−２．需要予測部］
需要予測部３９は、プロセスデータ記憶部３３に記憶された過去の所定期間の気象データ及びプラントデータに基づいて、エネルギー供給プラント１の所定期間の需要を予測する処理部である。ここでいうエネルギー需要には、例えば、エネルギー供給プラント１の冷水需要及び電力需要を含む。所定期間は、本実施形態では、１日としているが、数日、１時間又は数時間、１週間又は数週間、１ヶ月又は数ヶ月とする等、自由に設定可能である。この予測の期間は、後述のスケジュールの作成のためのものであるため、スケジュールを作成する期間も、これと同様に設定可能である。また、需要予測部３９による予測は、新たなスケジュールを作成するために繰り返し行われるという意味で、予測される所定期間は、所定の周期と捉えることもできる。
【００５２】
［３−６−３．スケジュール作成部］
スケジュール作成部４０は、制御対象機器の運転スケジュールを作成する処理部である。スケジュール作成部４０は、図３に示すように、運転停止スケジュール作成４０１、ピークカット処理部４０２、蓄熱スケジュール作成部４０３、蓄電スケジュール作成部４０４を有する。
【００５３】
（１）運転停止スケジュール作成部
運転停止スケジュール作成部４０１は、蓄熱槽１３及び蓄電池１４を用いない場合に、冷水需要を満たすように、各時刻において熱源機器を運転及び停止させる運転停止スケジュールを作成する処理部である。この運転停止スケジュール作成部４０１は、図４に示すように、優先順位決定部４０１ａ、運転停止決定部４０１ｂ、冷水出力決定部４０１ｃを有する。
【００５４】
（優先順位決定部）
優先順位決定部４０１ａは、熱源機器である水冷冷凍機１１及び空冷ＨＰ１２を作動させる優先順位を決定する処理部である。この優先順位の決定は、例えば、図５に示すように、モデルパラメータとして記憶された冷水製造単価表に基づいて行われる。
【００５５】
冷水製造単価表は、各熱源機器が定格で運転された場合に、冷水の単位熱量［ｋＷｈ］を製造するために必要な燃料あるいは電力の価格を示す表である。図５は、水冷冷凍機１１及び空冷ＨＰ１２が、いずれも電動式であるため、単位冷水熱量を製造するために必要な電力価格となっている。
【００５６】
（運転停止決定部）
運転停止決定部４０１ｂは、優先順位決定部４０１ａにより決定された優先順位に基づいて、冷水需要を満たすように、各時刻における熱源機器の運転及び停止に関する運転停止スケジュールを決定する処理部である。
【００５７】
（冷水出力決定部）
冷水出力決定部４０１ｃは、運転停止決定部４０１ｂが決定した運転停止スケジュールにより運転とされた熱源機器について、各熱源機器の冷水出力の配分を最適化して、熱源機器の出力を決定する処理部である。この熱源機器の出力の決定は、例えば、図６に示すように、モデルパラメータとして記憶された冷水増分単価表に基づいて行われる。
【００５８】
冷水増分単価表は、各熱源機器の出力において、冷水出力を単位熱量［ｋＷｂ］増加するために必要な燃料あるいは電力の価格を示す表である。各熱源機器は、それぞれ複数の出力帯を設定できる。そして複数の出力帯のそれぞれに異なる冷水増分単価を設定できる。
【００５９】
ただし、各時刻における冷水増分単価は、出力に対して単調増加でなければならない。これは、通常の熱源機器の特性である。また、各熱源機器の最小の出力帯の冷水増分単価は、０［円／ｋＷｈ］である。熱源機器は、運転している以上、原理的に出力をゼロにすることはできず、最低の出力が存在する。
【００６０】
（２）ピークカット処理部
ピークカット処理部４０２は、運転停止スケジュールにおいて、需要予測における電力需要を、カットする処理部である。このピークカット処理は、例えば、電力需要が最大となる時間帯の電力需要を、他の時間帯の電力需要の最大値と一致させるように行う。
【００６１】
そして、このピークカット処理は、冷水出力の削減量が蓄熱槽１３の容量に相当する量に達するまで、又は電力の削減量が蓄電池１４の容量に相当する量に達するまで、繰り返し行う。
【００６２】
（３）蓄熱スケジュール作成部
蓄熱スケジュール作成部４０３は、熱源機器による蓄熱槽１３への蓄熱運転のスケジュールを作成する処理部である。
【００６３】
蓄熱スケジュールは、熱源機器が蓄熱槽１３への蓄熱運転を行う時間帯と、各時間帯における熱源機器の出力に関する情報である。この蓄熱スケジュール作成部４０３は、図４に示すように、熱持替部４０３ａ、蓄熱容量判定部４０３ｂ、蓄熱運転決定部４０３ｃを有する。
【００６４】
（熱持替部）
熱持替部４０３ａは、冷水需要を担う機器を、熱源機器の冷水出力と蓄熱槽１３の冷水出力との間で持ち替える（置き換える）処理部である。ここで、持ち替えとは、熱源機器が冷水需要を受け持つか、蓄熱槽１３が冷水需要を受け持つかを切り替えることをいう。
【００６５】
（熱容量判定部）
蓄熱容量判定部４０３ｂは、ピークカット処理部４０２によりピークカットされた冷水出力合計値が、蓄熱槽１３の蓄熱容量を超えるか否かを判定する処理部である。
【００６６】
（蓄熱運転決定部）
蓄熱運転決定部４０３ｃは、蓄熱容量判定部４０３ｂの判定結果と、冷水増分単価表に基づいて、熱源機器による蓄熱槽１３への蓄熱運転スケジュールを作成する処理部である。
【００６７】
（４）蓄電スケジュール作成部
蓄電スケジュール作成部４０４は、蓄電池１４への蓄電運転のスケジュールを作成する処理部である。蓄電運転スケジュールは、蓄電池１４が充電を行う時間帯に関する情報である。この蓄電スケジュール作成部４０４は、電力持替部４０４ａ、蓄電容量判定部４０４ｂ、充電運転決定部４０４ｃを有する。
【００６８】
（電力持替部）
電力持替部４０４ａは、電力需要を担う電源を、給電と蓄電池１３の放電との間で持ち替える（置き換える）処理部である。ここで、持ち替えとは、給電側が電力需要を受け持つか、蓄電池１４が電力需要を受け持つかを切り替えることをいう。
【００６９】
（蓄電容量判定部）
蓄電容量判定部４０４ｂは、ピークカット処理部４０２によりピークカットされた電力需要の合計値が、蓄電池１４の蓄電容量を超えるか否かを判定する処理部である。
【００７０】
（充電運転決定部）
充電運転決定部４０４ｃは、蓄電容量判定部４０４ｂの判定結果と、時間帯毎の電力単価に基づいて、蓄電池１４の蓄電スケジュールを作成する処理部である。
【００７１】
［３−６−４．制御設定値作成部］
制御設定値作成部４１は、上記のように作成された運転スケジュール（運転停止スケジュール、蓄熱スケジュール及び蓄電スケジュール）に基づいて、制御設定値を作成する処理部である。
【００７２】
例えば、制御設定値は、運転スケジュールに従ったポンプ１５〜１８の運転、停止、バルブ１９〜２１の開閉をさせるパラメータを含む。また、制御設定値は、運転スケジュールに従った熱源機器としての水冷冷凍機１１、空冷ＨＰ１２の出力、負荷率などを決定するパラメータを含む。
【００７３】
さらに、制御設定値は、運転スケジュールに従ったエネルギー蓄積機器である蓄熱槽１３の蓄熱量及び放熱量、蓄電池１４の蓄電量及び放電量などを決定するパラメータを含む。
【００７４】
［３−６−５．消費電力短期予測部］
消費電力短期予測部４２は、需要予測部３９が予測する所定期間よりも短い周期における消費電力量の予測を行う処理部である。例えば、消費電力短期予測部４２は、最大消費電力量を計測する周期内の消費電力量を予測する。
【００７５】
一般的に、消費電力量の積算の計測スケジュールは３０分単位であるため、一例として、周期を３０分とすることが考えられる。消費電力短期予測部４２による消費電力量の予測は、後述するように、前記周期で計測した最大消費電力量の実績値に基づいて行う。
【００７６】
［３−６−６．スケジュール修正判定部］
スケジュール修正判定部４３は、運転スケジュールを修正するかどうかを判定する処理部である。スケジュール修正判定部４３による判定は、例えば、消費電力短期予測部４２による消費電力量の予測値が、運転スケジュールにおける当該周期内の最大消費電力量を超えるかどうかにより行う。
【００７７】
［３−６−７．スケジュール修正部］
スケジュール修正部４４は、運転スケジュールを修正する処理部である。スケジュール修正部４４は、消費電力短期予測部４２の消費電力量の予測値が、運転スケジュールの最大消費電力量を超えないように、蓄熱槽１３あるは蓄電池１４の運転スケジュールを修正する。
【００７８】
［３−７．演算結果記憶部］
演算結果記憶部３７は、制御設定値作成部４１が作成した制御設定値を記憶する処理部である。
【００７９】
［３−８．制御設定値出力部］
制御設定値出力部４５は、制御設定値作成部４１が作成し、演算結果記憶部３７に記憶された制御設定値を、監視制御装置２に出力する処理部である。
【００８０】
なお、図示はしないが、運転制御装置３は、各種設定を記憶する設定記憶部を有する。例えば、開始指示部３８が処理の実行を指示する時刻、需要予測部３９が需要を予測し、スケジュール作成部４０が運転スケジュールを作成する期間、消費電力短期予測部４２が予測を行う周期等を、設定記憶部が記憶している。
【００８１】
なお、運転制御装置３、監視制御装置２は、それぞれ独立に又は共通で、各部の処理に必要な情報の入力、処理の選択や指示を入力する入力部、情報入力のためのインタフェース、処理結果等を出力する出力部を有する。
【００８２】
入力部としては、キーボード、マウス、タッチパネル、スイッチ等、現在又は将来において利用可能な入力装置を含む。入力部は、上記のプロセスデータ取得部３２、モデルデータ入力部３４の機能を果たすこともできる。
【００８３】
出力部としては、表示装置、プリンタ等、現在又は将来において利用可能なあらゆる出力装置を含む。出力部は、上記の制御設定値出力部４５の機能を果たすこともできる。なお、プロセスデータ記憶部３３、モデルデータ記憶部３５が記憶したデータを、出力部が表示等することにより、オペレータが参照できる。
【００８４】
［Ｂ．作用］
以上のような本実施形態の動作について、図７〜図２８を参照して説明する。
【００８５】
［１．定時演算処理］
演算処理部３６があらかじめ設定された時刻に行う定時演算処理を説明する。以下に説明する処理は、将来の所定の期間における運転スケジュールを作成するものである。例えば、演算処理部３６は、１日１回、所定の時刻に、エネルギー供給プラント１の翌日の２４時間の運転スケジュールを作成する。
【００８６】
［１−１．処理の概要］
定時演算処理の概要を、図７のフローチャートを参照して説明する。まず、開始指示部３８からの開始指示に応じて、需要予測部３９は、建物２２のエネルギー需要を予測する（ステップ７０１）。
【００８７】
スケジュール作成部４０は、需要予測部３９によるエネルギー需要予測値に基づいて、制御対象機器の運転スケジュールを作成する（ステップ７０２）。制御設定値作成部４１は、作成された運転スケジュールに基づいて、制御設定値を作成する（ステップ７０３）。
【００８８】
演算結果記憶部３７は、作成された制御設定値を記憶する（ステップ７０４）。制御設定値出力部４５は、作成された制御設定値を、監視制御装置２に出力する（ステップ７０５）。
【００８９】
［１−２．需要予測処理］
需要予測部３９によるエネルギー需要の予測処理の一例を、図８のフローチャートを参照して説明する。エネルギー需要には、上記のように、冷水需要及び電力需要が含まれる。
【００９０】
予測のための需要実績データとしては、予測するエネルギー需要に応じた冷水需要、電力需要の実績を用いる。また、以下の説明での予測日は、運転スケジュールを作成する対象となる日である。なお、以下の予測処理の手法は例示であり、本実施形態はこれには限定されず、他のあらゆる手法を用いることができる。
【００９１】
まず、需要予測部３９は、プロセスデータ記憶部３３から読み出した需要実績データ、気象データを用いて、次式（１）のような回帰モデルのパラメータａ０、ａ１を計算する（ステップＳ８０１）。なお、パラメータａ０、ａ１は、平日、休日などの曜日モード毎に、最小二乗法により決定する。
【００９２】
【数１】
2014152984.tif 000003
【００９３】
また、最高・最低気温と最大・最小電力の関係を表すモデルとして、以下の式（２）に示すような重回帰モデルを用いることもできる。この場合のパラメータａ１０、ａ１１、ａ１２も、平日、休日などの曜日モード毎に、最小二乗法により決定する。
【数２】
2014152984.tif 000004
【００９４】
次に、需要予測部３９は、算出した回帰モデルパラメータと、プロセスデータ記憶部３３から読み出した気象予報データを用いて、次式（３）（４）のいずれかにより、需要家毎の最大エネルギー需要の予測値を計算する（ステップＳ８０２）。この場合のパラメータは、予測日の曜日モードに一致したものが用いられる。
【００９５】
【数３】
2014152984.tif 000005
【００９６】
【数４】
2014152984.tif 000006
【００９７】
また、需要予測部３９は、プロセスデータ記憶部３３から読み出した気象データ及び気象予報データを用いて、予測日と最も近い日を過去のデータから検索する（ステップＳ８０３）。
【００９８】
検索は、平日、休日などの曜日モードの一致する日の中から行う。日の近さは、各データの日付順で付与された検索インデックスによって測られ、以下の式（５）で求められる近似の程度を示す指標値Ｉｘが最小となる日が選択される。指標値Ｉｘが最小となる日が複数ある場合は、例えば、予測日に最も近い日を選択すればよい。
【００９９】
【数５】
2014152984.tif 000007
【０１００】
最後に、需要予測部３９は、算出された最大エネルギー需要の予測値と、検索された類似日とを用いて、予測日におけるエネルギー需要予測値Ｙｔを、次の式（６）によって計算する（ステップＳ８０４）。ｙｔは、類似日の需要実績値である。
【０１０１】
【数６】
2014152984.tif 000008
【０１０２】
図９は、需要予測データ作成処理において、各時刻の需要予測値Ｙｔを計算するための各データの関係を示す図である。つまり、式（６）の通り、各時刻の類似日の需要実績値ｙｔに、類似日の最大需要実績値ｙｍａｘに対する最大需要予測値Ｙｍａｘの比率を掛けている。
【０１０３】
［１−３．運転スケジュール作成処理］
スケジュール作成部４０が運転スケジュールを作成する処理について、図１０及び図１１のフローチャート、図１２〜図２４のグラフ、図２５及び図２６の表を参照して説明する。
【０１０４】
（１）優先順位決定処理
まず、運転停止スケジュール作成部４０１の優先順位決定部４０１ａが、冷水製造単価表を用いて、熱源機器の起動優先順位を決定する（ステップＳ１００１）。
【０１０５】
優先順位決定部４０１ａは、冷水製造単価の安い熱源機器から順に起動するように、冷水製造単価の安い熱源機器ほど優先順位を高くする。例えば、図５に示した冷水製造単価表では、すべての時間帯において、水冷冷凍機１１が優先順位１、空冷ＨＰ１２が優先順位２となる。
【０１０６】
（２）運転停止決定処理
次に、運転停止スケジュール作成部４０１の運転停止決定部４０１ｂが、決定した起動優先順位に従い、蓄熱槽１３及び蓄電池１４を用いない場合に、各時刻で必要な熱源機器の運転停止を決定する（ステップＳ１００２）。
【０１０７】
つまり、運転停止決定部４０１ｂは、需要予測部３９により予測された冷水需要を満たすように、優先順位に従って、熱源機器の運転、停止を決定する。
【０１０８】
蓄熱槽１３及び蓄電池１４を用いない場合の熱源機器の運転停止の一例を、図１２に示す。この例では、冷水需要を２台（水冷冷凍機１１、空冷ＨＰ１２）の熱源機器でカバーできるように運転停止を決定している。
【０１０９】
冷水需要が、起動優先順位の高い水冷冷凍機１１の最大出力６００ｋＷ以下の場合は、水冷冷凍機１１のみで運転する。冷水需要が６００ｋＷを超える場合は、水冷冷凍機１１と空冷ＨＰ１２を運転する。
【０１１０】
（３）冷水出力決定処理
また、運転停止スケジュール作成部４０１の冷水出力決定部４０１ｃは、運転となっている熱源機器について、冷水出力を決定する（ステップＳ１００３）。
【０１１１】
この冷水出力決定部４０１ｃによる冷水出力の決定は、冷水増分単価表を用いて、各熱源機器の冷水出力の配分を最適化することにより行う。例えば、冷水出力決定部４０１ｃは、図６に例示した冷水増分単価表において、熱源機器の冷水増分単価の小さい出力帯から順に、出力を割り当てる。
【０１１２】
図１３に、蓄熱槽１３及び蓄電池１４を用いない場合の熱源機器の運転停止スケジュールの冷水出力を最適化した一例を示す。この例では、水冷冷凍機１１の出力帯は、以下の[1]〜[3]に分かれている。この水冷冷凍機１１において、各出力帯[1]〜[3]は、２００ｋＷずつレベルが上昇する設定となっている。
【０１１３】
また、空冷ＨＰ１２の出力帯は、以下の[1]〜[3]に分かれている。この空冷ＨＰ１２において、各出力帯［1]〜[3]は、１００ｋＷずつレベルが上昇する設定となっている。
【０１１４】
例えば、図１３の例では、８時には、冷水需要４００ｋＷに対して、水冷冷凍機１１のみが運転する。このため、この時間は水冷冷凍機１１の出力帯[1]＋[2]＝２００ｋＷ＋２００ｋＷの合計４００ｋＷを割り当てる。
【０１１５】
また、１０時には、冷水需要７００ｋＷに対して、水冷冷凍機１１および空冷ＨＰ１２が運転する。このため、この時間は、水冷冷凍機１１の出力帯[1]＋[2]＋[3]＝２００ｋＷ＋２００ｋＷ＋２００ｋＷ＝６００ｋＷ、空冷ＨＰ１２の出力帯[1]＝１００ｋＷの合計７００ｋＷを割り当てる。
【０１１６】
（４）蓄熱・蓄電スケジュール作成処理
以上のように、蓄熱槽１３及び蓄電池１４を用いない場合の熱源機器の運転停止スケジュールが作成されたので、スケジュール作成部４０のピークカット処理部４０２、蓄熱スケジュール作成部４０３、蓄電スケジュール作成部４０４が、蓄熱・蓄電スケジュールを作成する。このような蓄熱・蓄電スケジュールの作成処理について、図１１のフローチャートを参照して説明する。
【０１１７】
（蓄熱スケジュールの作成）
まず、ピークカット処理部４０２が、作成された運転スケジュールのピークカット処理を実行する（Ｓ１１０１）。つまり、ピークカット処理部４０２は、最大電力需要時間帯の電力需要合計値を、他の時間帯の電力需要合計値の最大値と一致させるようにカットする。
【０１１８】
図１４は、電力需要及び熱源機器の動力の一例を示したグラフである。なお、図１４における電力需要は、エネルギー消費機器において必要となる狭義の電力需要である。この狭義の電力需要と熱源機器の動力に要する電力需要を合わせた電力需要合計値は、広義の電力需要である。
【０１１９】
図１４における熱源機器の動力に要する各時間帯の電力需要は、図１３に示した熱源機器の運転スケジュールに対応している。図１４に示す例では、最大電力需要時間帯は１４時である。このため、ピークカット処理部４０２は、１４時の電力需要合計値が、他の時間帯の電力需要合計値の最大値である１５時と同じになるようにカットする。
【０１２０】
次に、蓄熱スケジュール作成部４０３の熱持替部４０３ａは、ピークカット処理によってカットされた電力需要に対応する熱源機器の冷水出力を、蓄熱槽１３の冷水出力に持ち替える（ステップＳ１１０２）。
【０１２１】
蓄熱スケジュール作成部４０３の蓄熱容量判定部４０３ｂは、持ち替えられた蓄熱槽１３の冷水出力の合計値が、蓄熱槽１３の蓄熱容量を超過したかどうかを判定する（ステップＳ１１０３）。
【０１２２】
蓄熱槽１３の冷水出力の合計値が、蓄熱槽１３の蓄熱容量を超えていなければ（ステップＳ１１０３のＮＯ）、再び、ステップＳ１１０１に戻って、ピークカット部４０２がピークカット処理を実行する。
【０１２３】
このような蓄熱槽１３の蓄熱容量に応じたピークカット処理の一例を、図１５〜図１８のグラフに示す。図１５〜図１８は、ピークカットを繰り返すことによる熱源機器の冷水出力の変化を示す。図１５〜図１８における(1)〜(4)は、それぞれ、図１４の(1)〜(4)のピークカットに対応した熱源機器の冷水出力（ｋＷｈで示す）の変化を示している。
【０１２４】
例えば、ピークカット部４０２が、図１５に示すように、図１４の１４時における(1)の出力１４０ｋＷｈの部分をカットする。熱持替部４０３ａは、１４０ｋＷｈの熱源機器の冷水出力を、蓄熱槽１３の冷水出力に持ち替える。蓄熱容量判定部４０３ｂは、蓄熱槽１３の蓄熱容量は２０００ｋＷｈであるため、冷水出力合計値１４０ｋＷｈが、蓄熱容量を超過しないと判定する。
【０１２５】
次に、ピークカット部４０２は、図１４の１４時及び１５時における(1)＋(2)の出力３０３ｋＷｈの部分をカットする。熱持替部４０３ａは、３０３ｋＷｈの熱源機器の出力を、蓄熱槽１３の冷水出力に持ち替える。蓄熱容量判定部４０３ｂは、蓄熱槽１３の蓄熱容量は２０００ｋＷｈであるため、冷水出力合計値３０３ｋＷｈが、熱容量を超過しないと判定する。
【０１２６】
引き続き、ピークカット部４０２は、図１４の１３時〜１５時における(1)＋(2)＋(3)の出力１０８７ｋＷｈの部分をカットする。熱持替部４０３ａは、１０８７ｋＷｈの熱源機器の出力を、蓄熱槽１３の冷水出力に持ち替える。蓄熱容量判定部４０３ｂは、蓄熱槽１３の蓄熱容量は２０００ｋＷｈであるため、冷水出力合計値１０８７ｋＷｈは、熱容量を超過しないと判定する。
【０１２７】
さらに、ピークカット部４０２は、図１４の１０時〜１６時における(1)＋(2)＋(3)＋(4)の冷水出力２１３０ｋＷｈの部分をカットする。熱持替部４０３ａは、２１３０ｋＷｈの熱源機器の出力を、蓄熱槽１３の冷水出力に持ち替える。蓄熱容量判定部４０３ｂは、蓄熱槽１３の蓄熱容量は２０００ｋＷｈであるため、冷水出力合計値２１３０ｋＷｈは、熱容量を超過すると判定する。
【０１２８】
蓄熱容量判定部４０３ｂが、蓄熱槽１３からの冷水出力合計値が蓄熱容量を超過したと判定した場合は（ステップＳ１１０３のＹＥＳ）、熱持替部４０３ａは、超過した冷水出力部分を熱源機器からの冷水出力に戻す（ステップＳ１１０４）。この場合、熱持替部４０３ａは、最大電力需要がフラットになるように調整する。
【０１２９】
熱持替部４０３ａが、蓄熱容量を超過した冷水出力部分を、熱源機器からの冷水出力に戻す処理の一例を、図１９に示す。図１９は、熱源機器の冷水出力を示している。熱持替部４０３ａは、最大電力需要がフラットになるように、超過した１３０ｋＷｈの冷水を１０時、１１時、１３時、１６時の４時間の熱源機器の冷水出力に等配分する。
【０１３０】
この結果得られた電力需要の例を、図２０に示す。図２０では、１４時を除き、電力ピークがフラットになっていることが分かる。なお、水冷冷凍機１１は、運転している場合には、出力を零に落とすことはできず、必ず出力が存在する。
【０１３１】
図２０の１４時の値は、水冷冷凍機１１を出力帯[1]で運転する必要があり、運転する場合に必ず出力される最小の出力と、電力需要との合計値となる。このため、１４時の値は蓄熱槽１３で持ち替えることはできず、他の時間帯より大きな値となっている。
【０１３２】
以上のように、蓄熱槽１３を利用したピークカットを終了する。そして、蓄熱スケジュール作成部４０３の蓄熱運転決定部４０３ｃは、蓄熱運転時に作動させる熱源機器及びその出力について、蓄熱運転スケジュールを作成する（ステップ１１０５）。この蓄熱運転スケジュールの作成は、冷水増分単価表に従って、冷水増分単価の小さい順に、運転している熱源機器の出力を増加させることにより行う。
【０１３３】
そして、蓄熱容量判定部４０３ｂは、増加させた熱源機器の出力合計値が、蓄熱容量を超過したかどうかを判定する（ステップＳ１１０６）。超過していない場合には（ステップＳ１１０６のＮＯ）、再びステップＳ１１０５に戻って、蓄熱運転決定部４０３ｃが、冷水増分単価の小さい順に、運転中の熱源機器の出力を増加させる。
【０１３４】
この際、熱源機器の出力帯を増加させていくことになるが、増加分は、先詰めや後詰めなどの方法で運転時間帯を決定する。先詰めとは、早い時間帯から先に割り当てることをいう。後詰めとは、遅い時間帯から先に割り当てることをいう。
【０１３５】
なお、蓄熱運転決定部４０３ｃは、運転中の熱源機器の出力増加だけでは、蓄熱槽１３の蓄熱容量に満たない場合は、停止中の熱源機器を優先順位に従って起動し、冷水増分単価に従って運転スケジュールを決定する。この際、冷水増分単価が同じ時間帯に対しては、先詰めや後詰めなどの方法で運転時間帯を決定する。
【０１３６】
蓄熱運転スケジュールの作成処理の一例を、図２１及び図２２を参照して説明する。図２１は、水冷冷凍機１１の出力帯[2]による蓄熱運転、図２２は、水冷冷凍機１１の出力帯[2]及び[3]による蓄熱運転を示したものである。また、冷水増分単価表は、図５で例示したものを用いる。
【０１３７】
運転中の熱源機器の中で、冷水増分単価が一番小さいのは、２２時から７時までの水冷冷凍機１１の出力帯[2]である。このため、蓄熱運転決定部４０３ｃは、この時間帯の水冷冷凍機１１の出力帯[2]を最大出力まで増加させる。
【０１３８】
増加させた冷水出力の合計値は、図２１に示すように、１７５０ｋＷｈである。この値は、蓄熱容量を超過しない。このため、蓄熱運転決定部４０３ｃは、水冷冷凍機１１の出力帯[3]の出力を後詰めで割り当てる。
【０１３９】
すなわち、蓄熱運転決定部４０３ｃは、水冷冷凍機１１の出力帯[3]を、７時、６時、５時、と２００ｋＷずつ順に割り当てていき、４時を割り当てると、２５５０ｋＷｈとなって蓄熱容量÷効率０．８＝２５００ｋＷｈを超える。このため、蓄熱運転決定部４０３ｃは、４時の割り当てを１５０ｋＷとして蓄熱運転スケジュール作成処理を終了する。
【０１４０】
（蓄電運転スケジュールの作成）
まず、ピークカット処理部４０２は、蓄熱槽１３によるピークシフト処理を行った後の電力需要合計値に対して、最大電力需要時間帯のピークカット処理を実行する（ステップＳ１１０７）。このピークカット処理の手法は、蓄熱槽１３によるピークシフトと同様に、最大電力需要時間帯の電力需要合計値を、他の時間帯の電力需要合計値の最大値と一致させるようにカットする。
【０１４１】
蓄電スケジュール作成部４０４の電力持替部４０４ａは、カットした電力を、蓄電池１４からの放電電力に持ち替える（ステップＳ１１０８）。蓄電容量判定部４０４ｂは、蓄電池１４からの放電電力の合計値が蓄電池１４の容量を超過したかどうかを判定する（ステップＳ１１０９）。
【０１４２】
蓄電池１４からの放電電力の合計値が蓄電池１４の容量を超過していなければ（ステップＳ１１０９のＹＥＳ）、再び、ステップＳ１１０７へ戻って、ピークカット処理部４０２が、最大電力需要時間帯のピークカット処理を実行する。そして、電力持替部４０４ａは、カットした電力を、蓄電池１４からの放電電力に持ち替える（ステップＳ１１０８）。
【０１４３】
ピークカット電力の合計値が、蓄電池容量を超過した場合は（ステップＳ１１０９のＮＯ）、電力持替部４０４ａが、電力需要がフラットになるように、超過した電力分を電力需要に戻す（ステップＳ１１１０）。このように、蓄電池１４を利用したピークカットを終了する。
【０１４４】
最後に、充電運転決定部４０４ｃは、蓄電池１４への蓄電スケジュールを作成する。蓄電池１４への蓄電スケジュールは、電力単価の小さい時間帯から優先して充電時間に割り当てる（ステップＳ１１１１）。
【０１４５】
そして、蓄電容量判定部４０４ｂは、割り当てた充電電力の合計値が、蓄電容量を超過したかどうかを判定する（ステップＳ１１１２）。超過していない場合には（ステップＳ１１１２のＮＯ）、再びステップＳ１１１１に戻って、充電運転決定部４０４ｃが、電力単価の小さい時間帯に、充電電力を割り当てる。
【０１４６】
割り当てた充電電力の合計値が、蓄電池容量を超過した場合は（ステップＳ１１１２のＹＥＳ）、電力持替部４０４ａが、電力需要がフラットになるように、超過した電力分を電力需要に戻す（ステップＳ１１１３）。
【０１４７】
このような蓄電池１４への充電運転スケジュールの作成処理の一例を、図２３及び図２４を参照して説明する。図２３の(1)(2)は、蓄熱槽１３によるピークカット処理を行った後の電力需要及び熱源機器の動力に、蓄電池１４によるピークカット処理を行う部分を示している。また、図２４は、蓄電池１４の充放電を追加したものである。この例では、蓄電池容量は２００ｋＷｈとする。
【０１４８】
まず、ピークカット処理部４０２は、図２３における(1)２０ｋＷｈのピークカットを行う。蓄電容量判定部４０４ｂは、電力持替部４０４ａにより持ち替える２０ｋＷｈの電力は、蓄電池容量を超過しないと判定する。このため、ピークカット処理部４０２は、次の(2)１８０ｋＷｈのピークカットを行う。
【０１４９】
次に、充電運転決定部４０４ｃは、０時〜３時、２２時、２３時の６時間において、電力需要合計値１９０ｋＷが、４時の２１２．５ｋＷに一致するように２２．５ｋＷ×６ｈ＝１３５ｋＷｈの充電を行う設定をする。
【０１５０】
１３５ｋＷｈは、蓄電池容量２００ｋＷｈ÷効率０．９＝２２２．２ｋＷｈに満たない。このため、充電運転決定部４０４ｃは、０時〜４時、２２時、２３時の７時間における各時間帯の電力需要合計値２１２．５ｋＷｈを、５時の電力需要合計値２２０ｋＷとする７．５ｋＷｈ×７ｈ＝５２．５ｋＷｈの充電を設定をする。
【０１５１】
充電量は、１３５ｋＷｈ＋５２．５ｋＷｈ＝１８７．５ｋＷｈとなる。蓄電容量判定部４０４ｂは、まだ蓄電池１４の容量に満たないと判定する。このため、充電運転決定部４０４ｃは、図２４に示すように、０時〜６時、２２時〜０時の最小電力需要２２０ｋＷが２１時の２３０ｋＷとなる１０ｋＷｈ×９ｈ＝９０ｋＷｈの充電を設定する。
【０１５２】
これにより、１８７．５ｋＷｈ＋９０ｋＷｈ＝２７７．５ｋＷｈとなる。この充電量の場合、蓄電容量判定部４０４ｂは、蓄電池容量を超えると判定する。従って、充電運転決定部４０４ｃは、超えた５５．３ｋＷｈを９ｈに配分して充電電力より引き、蓄電池１４の蓄電スケジュールを決定する。
【０１５３】
以上のような処理手順によって、スケジュール作成部４０が、制御対象機器の運転停止スケジュール、蓄熱槽１３の蓄熱スケジュール、蓄電池１４の蓄電スケジュールを作成する。
【０１５４】
［１−４．制御設定値の作成］
制御設定値作成部４１は、運転停止スケジュールに応じて、制御対象機器の制御設定値を作成する（ステップＳ７０３）。
【０１５５】
ここで、制御設定値の作成処理について、図２５、図２６を参照して説明する。図２５は、図２に示した運転モードＮｏ．１〜５と、冷水需要、水冷冷凍機１１及び蓄熱槽１３の運転状態との関係を示す表である。図２６は、スケジュール作成部４０によって作成された運転スケジュールに対応する運転モードを示す表である。
【０１５６】
例えば、冷水需要がない時間帯に熱源機器が運転し、蓄熱槽１３が蓄熱している場合、対応する運転モードは、Ｎｏ．２の蓄熱通常モードである。また、図２６は、熱源機器の運転スケジュールの一例と、対応するエネルギー供給プラント１の運転モードを示す図である。
【０１５７】
制御設定値作成部４１は、図２５の表に従い、図２６の熱源機器の運転スケジュールに対して、エネルギー供給プラント１の運転モードを決定する。これにより、スケジュール作成部４０の作成した熱源機器の運転スケジュールを、具体的なエネルギー供給プラント１の運転方法として実現可能となる。
【０１５８】
［１−５．制御設定値の記憶、出力］
演算結果記憶部３７は、作成された制御設定値を記憶する（ステップＳ７０４）そして、制御設定値出力部４５は、演算結果記憶部３７の制御設定値を参照して、現在時刻に対応した指示を監視制御装置２に出力する。
【０１５９】
以上の処理により、監視制御装置２が、エネルギー供給プラント１に対して、ピーク電力が小さくなる運転を実現することができる。
【０１６０】
なお、制御設定値の出力タイミングは、種々のものが考えられる。例えば、出力タイミングを、運転スケジュールの実行日の前日とし、監視制御装置２が受信した制御設定値を保持しておく。そして、監視制御装置２が、実行日に制御情報に基づく制御を実行してもよい。
【０１６１】
［２．スケジュール修正処理］
以上のように、前日に作成された運転スケジュールに基づいて、実行日当日に、エネルギー供給プラント１の制御対象機器が実際の運転を開始する。
【０１６２】
ここで、制御対象機器が運転している当日に、運転スケジュールを変更する場合の運転制御装置３の動作を、図２７のフローチャートを参照して説明する。なお、スケジュール修正後の基本的な処理は、上記の運転スケジュールを作成する処理と同様であるため、説明は簡略化する。
【０１６３】
以下に説明する処理は、エネルギー供給プラント１の最大消費電力を計測する周期（例えば、３０分）ごとに実行される定周期演算である。この処理は、過去に作成又は修正されたエネルギー供給プラント１の運転スケジュールを、最大消費電力が目標値より大きくならないように修正するものである。
【０１６４】
まず、消費電力短期予測部４２は、最大消費電力を計測する周期内の電力量を予測する（ステップＳ２７０１）。この予測は、例えば、次の式７により行う。
【０１６５】
【数７】
2014152984.tif 000009
【０１６６】
次に、スケジュール修正判定部４３は、運転スケジュールの修正が必要かどうかを判定する（ステップＳ２７０２）。スケジュール修正要否の判定は、次回最大消費電力を計測する周期における消費電力予測値が、スケジュール作成部４０で作成されたエネルギー供給プラント１の運転スケジュールの最大消費電力量を超えるか否かにより行う。
【０１６７】
図２８に、最大消費電力を計測する周期内で、消費電力量実績値Ｐ（ｔ）から予測される消費電力予測値Ｐ（チルダ）と、最大消費電力量Ｐ（バー）との関係を示す。
【０１６８】
スケジュール修正判定部４３がスケジュールの修正が必要ないと判定した場合（ステップＳ２７０２のＮＯ）、修正処理を終了する。スケジュール修正判定部４３がスケジュールの修正が必要と判定した場合（ステップＳ２７０２のＹＥＳ）、スケジュール修正部４４が運転スケジュールを修正する（ステップ２７０３）。
【０１６９】
この修正は、消費電力予測値Ｐ（チルダ）が、最大消費電力量Ｐ（バー）を超えないように、蓄熱槽１３の蓄熱スケジュール及び蓄電池１４の蓄電スケジュールの一方若しくは双方を修正することにより行う。
【０１７０】
また、制御設定値作成部４１は、上記の定時刻処理と同様の方法で、エネルギー供給プラント１の制御設定値を作成する（ステップＳ２７０４）。つまり、修正された運転スケジュールに基づいて、制御対象機器を運転させるパラメータを作成する。
【０１７１】
その後の制御設定値の記憶、出力処理は、上記と同様である。つまり、演算結果記憶部３７は、新たに作成された制御設定値を記憶する。そして、制御設定値出力部４５は、演算結果記憶部３７に記憶された制御設定値を参照して、現在時刻に対応した指示を、監視制御装置２に出力する。
【０１７２】
以上の処理により、監視制御装置２が、エネルギー供給プラント１に対して、実際の運用状態に即して、ピーク電力が小さくなる運転を実現することができる。
【０１７３】
［Ｃ．効果］
以上のような本実施形態によれば、単に電力需要がピークとなる時間帯の消費電力を削減するのではなく、受電電力全体から見て、ピークが最小化するように、運転スケジュールを作成することができる。
【０１７４】
特に、蓄熱槽１３、蓄電池１４等のエネルギー蓄積機器の容量に相当するカット量に達するまで、需要が最大となるピーク時間帯から、他の時間帯の需要の最大値と一致するように削減していく。
【０１７５】
このため、需要の高い時間帯から順次削減されて平坦化されるので、削減する時間帯以外の時間帯において、他の時間帯と比べて高いピークが生じることが防止される。ピーク時間帯及びその周辺の時間帯における需要の集中を緩和することができる。
【０１７６】
また、一般に、エネルギー供給プラント１では、蓄熱槽１３の容量の方が蓄電池の容量より大きい。このため、本実施形態では、まず蓄熱槽１３の運転スケジュールを作成し、次に蓄電池１４の運転スケジュールを作成している。これにより、主なピークシフト計算を蓄熱槽１３で行い、微小な調整を蓄電池１４で行うスケジュールを計算することができる。
【０１７７】
一方、蓄電池１４は、出力の変更が容易なので、細かい調整に適している。しかも、蓄電池１４は、蓄熱槽１３に比べて高価ではあるが、後付が容易なため、既存の設備へ追加しやすい。
【０１７８】
また、運転させる水冷冷凍機１１、空冷ＨＰ１２等の熱源機器として、冷熱製造単価表に基づいて、熱の製造単価が安いものを優先させる運転スケジュールを作成する。このため、ピーク電力の最小化を図りつつ、運転コストの最小化も図ることができる。
【０１７９】
また、前日の予測値と当日の制御対象機器の運用状態にずれが生じた場合にも、運転スケジュールを修正することができ、より実体に即した最適な運用が可能となる。
【０１８０】
特に、運転スケジュールの最大消費電力量を、消費電力の予測値が超えないように修正するため、追加の受電電力等のエネルギー調達を抑えて、効率的な運用が可能となる。さらに、消費電力量の計測周期内という短周期で修正を行うため、予測値と運用状態とのずれを最小限に抑えることができる。
【０１８１】
なお、本実施形態では、空調機２３や照明２４等のエネルギー消費機器について消費電力を落とす等の制御は行わない。このため、需要家、利用者等に不便を強いることはなく、ピーク電力の最小化が実現できる。
【０１８２】
［Ｄ．他の実施形態］
本実施形態は、上記の態様に限定されるものではなく、以下に例示する態様も構成可能である。
【０１８３】
（１）例えば、エネルギー供給プラントにおいて使用される制御対象機器は、上記の実施形態で例示したものには限定されない。例えば、熱源機器としては、ＣＧＳ(Co-Generation System)、吸収式冷温水器、太陽熱温水器等を利用することもできる。
【０１８４】
ＣＧＳは、内燃機関や外燃機関による発電とともに、その排熱を利用可能なシステムである。このＣＧＳは、ガスをエネルギー源として発電するとともに、排熱を利用可能な熱電併給システムである。熱源として、燃料電池を用いてもよい。
【０１８５】
吸収式冷温水器は、冷媒の凝縮器と蒸発器との間に、水蒸気の吸収と熱源による再生のプロセスを介在させて、冷水若しくは温水を供給する機器である。熱源のエネルギーとしては、ガスや、ＣＧＳ、太陽熱温水器等からの排熱を利用できる。
【０１８６】
太陽熱温水器は、太陽熱を利用して温水を供給する温水器である。上記の空冷ＨＰ、水冷冷凍機、蓄熱槽とともに、ＣＧＳ、吸収式冷温水器、太陽熱温水器は、空調機のための温水、冷水を供給することができる。
【０１８７】
また、空調機は、ＣＧＳ、空冷ＨＰ、吸収式冷温水器、太陽熱温水器のいずれかで発生する温水により、暖房を行うこともできる。
【０１８８】
さらに、エネルギー供給プラントへ給電を行う電源としては、ＣＧＳ、燃料電池、太陽光発電装置、風力発電装置等の各種発電装置を用いることもできる。これにより、受電電力を大幅に低減することができる。
【０１８９】
（２）本実施形態は、ビル等の所定の建物内に設置された制御対象機器を管理するシステムであるＢＥＭＳ（Building Energy Management System）に適している。ただし、制御対象機器の設置位置は、単一の建物か複数の建物かには限定されず、屋外を含んでいてもよい。つまり、所定の領域に設置された制御対象機器を制御するＥＭＳ（Energy Management System）として、広く適用可能である。
【０１９０】
（３）運転制御装置、監視制御装置等は、ＣＰＵ等を含むコンピュータを所定のプログラムで制御することによって実現できる。この場合のプログラムは、コンピュータのハードウェアを物理的に活用することで、上記のような各部の処理を実現するものである。
【０１９１】
上記の各部の処理を実行する方法、プログラム及びプログラムを記録した記録媒体も、実施形態の一態様である。また、ハードウェアで処理する範囲、プログラムを含むソフトウェアで処理する範囲をどのように設定するかは、特定の態様には限定されない。たとえば、上記の各部のいずれかを、それぞれの処理を実現する回路として構成することも可能である。
【０１９２】
（４）上記の各処理部、記憶部等は、共通のコンピュータにおいて実現してもよいし、ネットワークで接続された複数のコンピュータによって実現してもよい。たとえば、プロセスデータ記憶部、モデルデータ記憶部を、最適化処理部とネットワークで接続されたサーバに構成してもよい。
【０１９３】
さらに、図２９に示すように、制御対象機器を設置した建物などに設けられた情報通信装置６に、遠隔に設置された運転制御装置３を、ネットワークＮ２を介して接続した構成とすることも可能である。情報通信装置６は、パーソナルコンピュータ、制御パネル等により構成することができる。
【０１９４】
情報通信装置６は、たとえば、送受信部６１、制御情報出力部６２、表示部６３、入力部６４を有する。送受信部６１は、運転制御装置３との情報の送受信を行う処理部である。たとえば、送受信部６１は、運転制御装置３からの制御情報を含む運転スケジュールを受信し、運転制御装置３へ、優先順位や運転スケジュールの選択指示を送信することができる。
【０１９５】
制御情報出力部６２は、ネットワークＮ１で接続された監視制御装置２に制御設定値等の制御情報を出力する処理部である。表示部６３は、制御設定値を含む受信した運転スケジュール等を表示する処理部である。入力部６４は、優先順位や運転スケジュールの選択指示等を入力する処理部である。表示部６３及び入力部６４は、上記の出力部、プロセスデータ取得部、モデルデータ入力部としての機能を有する。
【０１９６】
さらに、需要家側には、運転制御装置３から出力された制御情報を受信する受信部のみが存在して、受信部が受信した制御情報に基づいて、監視制御装置２が制御される構成とすることも可能である。
【０１９７】
このように、たとえば、クラウドコンピューティングのように、ネットワークＮ２を介して、制御対象機器から遠隔の地に構成された単一若しくは複数のサーバにより、運転制御装置３を実現する態様も、本実施形態の一態様である。これにより、需要家側の設備を簡略化して、導入コストを節約することができ、普及の促進に繋がる。
【０１９８】
（５）プロセスデータ記憶部、モデルデータ記憶部、設定記憶部に記憶される各データの記憶領域は、それぞれが各データの記憶部として構成できる。これらの記憶部は、典型的には、内蔵された又は外部接続された各種メモリ、ハードディスク等により構成できる。
【０１９９】
ただし、記憶部としては、現在又は将来において利用可能なあらゆる記憶媒体を利用可能である。演算に用いるレジスタ等も、記憶部として捉えることができる。記憶の態様も、長時間記憶が保持される態様のみならず、処理のために一時的に記憶され、短時間で消去又は更新される態様も含まれる。
【０２００】
（６）実施形態に用いられる情報の具体的な内容、値は自由であり、特定の内容、数値には限定されない。実施形態において、しきい値に対する大小判断、一致不一致の判断等において、以上、以下、として値を含めるように判断するか、より大きい、より小さい、超える、超えない、上回る、下回る、未満として値を含めないように判断するかも自由である。
【０２０１】
したがって、たとえば、値の設定によっては、「以上」を「より大きい」、「超える」、「上回る」に、「以下」を「より小さい」、「超えない」、「下回る」、「未満」に読み替えても、実質的には同じである。
【０２０２】
（７）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０２０３】
１…エネルギー供給プラント
２…監視制御装置
３…運転制御装置
４…気象情報記憶装置
５、Ｎ１、Ｎ２…ネットワーク
６…情報通信装置
１０…冷却塔
１１…水冷冷凍機
１２…空冷ＨＰ
１３…蓄熱槽
１４…蓄電池
１５〜１８…ポンプ
１９〜２１…バルブ
２２…建物
２３…空調機
２４…照明
３１、６１…送受信部
３２…プロセスデータ取得部
３３…プロセスデータ記憶部
３４…モデルデータ入力部
３５…モデルデータ記憶部
３６…演算処理部
３７…演算結果記憶部
３８…開始指示部
３９…需要予測部
４０…スケジュール作成部
４１…制御設定値作成部
４２…消費電力短期予測部
４３…スケジュール修正判定部
４４…スケジュール修正部
４５…制御設定値出力部
６２…制御情報出力部
６３…表示部
６４…入力部
４０１…運転停止スケジュール作成部
４０２…ピークカット処理部
４０３…蓄熱スケジュール作成部
４０４…蓄電スケジュール作成部
４０１ａ…優先順位決定部
４０１ｂ…運転停止決定部
４０１ｃ…冷水出力決定部
４０３ａ…熱持替部
４０３ｂ…蓄熱容量判定部
４０３ｃ…蓄熱運転決定部
４０４ａ…電力持替部
４０４ｂ…蓄電容量判定部
４０４ｃ…充電運転決定部
【図１】
2014152984.tif 000010
【図２】
2014152984.tif 000011
【図３】
2014152984.tif 000012
【図４】
2014152984.tif 000013
【図５】
2014152984.tif 000014
【図６】
2014152984.tif 000015
【図７】
2014152984.tif 000016
【図８】
2014152984.tif 000017
【図９】
2014152984.tif 000018
【図１０】
2014152984.tif 000019
【図１１】
2014152984.tif 000020
【図１２】
2014152984.tif 000021
【図１３】
2014152984.tif 000022
【図１４】
2014152984.tif 000023
【図１５】
2014152984.tif 000024
【図１６】
2014152984.tif 000025
【図１７】
2014152984.tif 000026
【図１８】
2014152984.tif 000027
【図１９】
2014152984.tif 000028
【図２０】
2014152984.tif 000029
【図２１】
2014152984.tif 000030
【図２２】
2014152984.tif 000031
【図２３】
2014152984.tif 000032
【図２４】
2014152984.tif 000033
【図２５】
2014152984.tif 000034
【図２６】
2014152984.tif 000035
【図２７】
2014152984.tif 000036
【図２８】
2014152984.tif 000037
【図２９】
2014152984.tif 000038